(57)【特許請求の範囲】
【請求項１】
被検体の周囲を回転するガントリと、前記被検体を介して前記ガントリの互いに対向する位置に配置されるX線源及びX線検出器と、前記ガントリのX線照射空間に前記被検体を搬入または搬出するように移動するテーブルと、
前記被検体に対して前記X線源からX線を照射する際に、前記ガントリを回転しつつ前記テーブルを移動することにより、前記被検体を螺旋状にスキャンするヘリカルスキャン制御手段と、
前記X線検出器にて検出される前記被検体のX線減弱量データを用いて前記被検体の断層像を再構成する画像処理手段と、
を備えたX線CT装置であって、
前記ヘリカルスキャン制御手段は、
スキャンの進行中に、前記テーブルの移動速度を変更するとともに、テーブルの速度変化に追従して前記ガントリの回転速度を変更し、
前記テーブルの移動速度と前記ガントリの回転速度とを変更する前と後とで、ヘリカルスキャンのピッチが一定に保たれるように前記ガントリの回転速度と前記テーブルの移動速度の少なくとも一方を制御するとともに、
前記テーブルの移動速度と前記ガントリの回転速度とを変更する前と後とで、前記被検体に照射するX線照射量が略同一となるように前記X線源の出力を制御するX線源制御手段と、
前記ガントリの加減速の遅れにともなって生じる前記X線検出器におけるデータ取り込み位置のずれを検出するデータ取り込み位置検出手段を更に備え、
前記画像処理手段は、前記データ取り込み位置のずれに応じて補正したX線減弱量データを使用して、前記断層像を再構成することを特徴とするX線CT装置。
【請求項２】
前記被検体に注入される造影剤の流れを検出する造影剤検出手段を更に備え、
前記ヘリカルスキャン制御手段は、前記造影剤検出手段によって検出された情報に基づいて、前記テーブルの移動速度及び前記ガントリの回転速度を変更することを特徴とする請求項1に記載のX線CT装置。
【請求項３】
スキャン条件の異なる複数の部位を連続してスキャンするように設定するスキャン計画設定手段を更に備え、
前記ヘリカルスキャン制御手段は、前記スキャン計画設定手段により設定された部位毎のスキャン条件に基づき、スキャンの進行中に前記テーブルの移動速度及び前記ガントリの回転速度を変更し、複数の部位を連続してスキャンすることを特徴とする請求項1に記載のX線CT装置。
【請求項４】
被検体の周囲を回転するガントリと、前記被検体を介して前記ガントリの互いに対向する位置に配置されるX線源及びX線検出器と、前記ガントリのX線照射空間に前記被検体を搬入または搬出するように移動するテーブルと、
前記被検体に対して前記X線源からX線を照射する際に、前記ガントリを回転しつつ前記テーブルを移動することにより、前記被検体を螺旋状にスキャンするヘリカルスキャン制御手段と、
前記X線検出器にて検出される前記被検体のX線減弱量データを用いて前記被検体の断層像を再構成する画像処理手段と、
を備えたX線CT装置の制御方法であって、
前記被検体を螺旋状にスキャンする間に、前記テーブルの移動速度を変更するとともに、テーブルの速度変化に追従して前記ガントリの回転速度を変更し、前記テーブルの移動速度と前記ガントリの回転速度とを変更する前と後とで、ヘリカルスキャンのピッチが一定に保たれるように前記ガントリの回転速度と前記テーブルの移動速度の少なくとも一方を制御するステップと、
前記テーブルの移動速度と前記ガントリの回転速度とを変更する前と後とで、前記被検体に照射するX線照射量が略同一となるように前記X線源の出力を制御するステップと、
前記ガントリの加減速の遅れにともなって生じる前記X線検出器におけるデータ取り込み位置のずれを検出するステップと、
前記データ取り込み位置のずれに応じて補正したX線減弱量データを使用して、前記断層像を再構成するステップを有することを特徴とするX線CT装置の制御方法。
【発明の詳細な説明】
【技術分野】
【０００１】
本発明は、X線CT装置に関する。詳細には、X線CT装置のヘリカルスキャンにおけるガントリ及び寝台の駆動制御に関する。
【背景技術】
【０００２】
X線CT装置は、被検体の周囲を回転するガントリと、ガントリのX線照射空間である開口部に被検体を搬入または搬出するテーブルを備えた寝台と、各種操作指示を入力する操作装置及び入力された操作指示や被検体の断層像等を表示させる表示装置等を備えた操作卓と、を有する。ガントリには、X線を照射するX線源と、被検体を透過するX線の減弱量を検出するX線検出器とが、開口部の互いに対向する位置に配置されている。また、X線CT装置は、X線検出器にて得られるX線減弱量データに基づいて被検体の断層像を再構成し、表示装置等に出力する。【０００３】
近年では、多列型のX線検出器を採用し、X線源からファンビーム(扇形ビーム)あるいはコーンビーム(円錐形または角錐形ビーム)のX線を照射して、ガントリ1回転で、多列のスライス位置をスキャンすることが可能なマルチスライスCT装置も開発されている。【０００４】
上述のX線CT装置では、X線源からX線を被検体に対して照射する際に、テーブルを被検体の体軸方向に移動させながら上述のガントリを回転させるようにして、被検体を螺旋状にスキャンするヘリカルスキャンを行い、スキャンの高速化を図っている。【０００５】
ところでX線CT装置を用いた検査では、撮影部位を明瞭にし、良好なコントラストのついた再構成像を得るために、被検体に造影剤を注入することがある。造影剤の流れは個人差がある上に、部位によっても流れの速さは異なっており、スキャンのタイミングを制御するのは困難であった。そのため最近では、造影剤の流れをモニタリングし、造影剤の流れに合わせてヘリカルスキャンを制御するX線CT装置が開発されている(特許文献1)。特許文献1のX線CT装置では、造影剤の流れに追従して、テーブルの移動速度や管電流値を変化させている。
【先行技術文献】
【特許文献】
【０００６】
【特許文献１】特開2006-51234号公報
【発明の概要】
【発明が解決しようとする課題】
【０００７】
しかしながら、上述の特許文献1のX線CT装置では、テーブルの移動速度を変更した際の、ピッチへの影響については言及されていない。【０００８】
ヘリカルスキャンにおいては、ガントリ1回転中にテーブルが移動する距離とX線ビーム厚との関係を示すパラメータとして、ピッチ(ヘリカルピッチまたはビームピッチ)が定義される。ヘリカルスキャンのピッチは再構成像の画質に影響を及ぼすため、最適な画質の再構成像を得るためには最適なピッチでヘリカルスキャンが行われる必要がある。【０００９】
このように画質とピッチとに相関があるにも関わらず、撮影中にテーブルの移動速度を変更してピッチが変更されてしまうと、最適な画質で再構成像を得ることができない。あまりに画質が劣化した場合には、撮影自体が無駄になってしまうこともある。【００１０】
本発明は、以上の問題点に鑑みてなされたものであり、ヘリカルスキャンのピッチを一定に保ちつつ、スキャン速度を制御することが可能なX線CT装置を提供することを目的とする。
【課題を解決するための手段】
【００１１】
前述した目的を達成するために本発明は、被検体の周囲を回転するガントリと、前記被検体を介して前記ガントリの互いに対向する位置に配置されるX線源及びX線検出器と、前記ガントリのX線照射空間に前記被検体を搬入または搬出するように移動するテーブルと、前記被検体に対して前記X線源からX線を照射する際に、前記ガントリを回転しつつ前記テーブルを移動することにより、前記被検体を螺旋状にスキャンするヘリカルスキャン制御手段と、前記X線検出器にて検出される前記被検体のX線減弱量データを用いて前記被検体の断層像を再構成する画像処理手段と、を備えたX線CT装置であって、前記ヘリカルスキャン制御手段は、スキャンの進行中に、前記テーブルの移動速度を変更するとともに、テーブルの速度変化に追従して前記ガントリの回転速度を変更することを特徴とするX線CT装置である。【００１２】
また、本発明は、被検体の周囲を回転するガントリと、前記被検体を介して前記ガントリの互いに対向する位置に配置されるX線源及びX線検出器と、前記ガントリのX線照射空間に前記被検体を搬入または搬出するように移動するテーブルと、  前記被検体に対して前記X線源からX線を照射する際に、前記ガントリを回転しつつ前記テーブルを移動することにより、前記被検体を螺旋状にスキャンするヘリカルスキャン制御手段と、  前記X線検出器にて検出される前記被検体のX線減弱量データを用いて前記被検体の断層像を再構成する画像処理手段と、を備えたX線CT装置の制御方法であって、前記被検体を螺旋状にスキャンする間に、前記テーブルの移動速度を変更するとともに、テーブルの速度変化に追従して前記ガントリの回転速度を変更するステップを有することを特徴とするX線CT装置の制御方法である。
【発明の効果】
【００１３】
本発明によれば、ヘリカルスキャンのピッチを一定に保ちつつ、スキャン速度を制御することが可能なX線CT装置を提供できる。
【図面の簡単な説明】
【００１４】
【図１】X線CT装置1の全体構成を示すブロック図
【図２】X線CT装置1のガントリ2の駆動系を示す模式図
【図３】X線CT装置1の寝台3の駆動系を示す模式図
【図４】ガントリ2と寝台3のテーブル33との速度の関係を示すグラフ
【図５】X線CT装置1の寝台3及びガントリ2を横方向からみた模式図
【図６】X線CT装置1の全体の動作を示すフローチャート
【図７】造影剤を使用した検査におけるヘリカルスキャンの制御処理の流れを示すフローチャート
【図８】スキャン実行時にRAMに記憶されるデータを示す図
【図９】造影剤を使用した検査でのスキャン速度変更に関するシーケンス図
【図１０】ガントリ2の回転と、X線管23及びX線検出器25の位置を示す模式図
【図１１】ヘリカルスキャン実行中に取得する連続したX線減弱量データの一例
【図１２】画像処理の流れを示すフローチャートである。
【図１３】第2の実施の形態のX線CT装置1の動作の流れを示すフローチャート
【図１４】スキャン実行時にRAMに記憶されるデータを示す図
【図１５】予め速度変更するようにスキャン計画された検査でのスキャン速度変更に関するシーケンス図
【発明を実施するための形態】
【００１５】
以下、添付図面を参照しながら、本発明の好適な実施形態について詳細に説明する。
【００１６】
(第1の実施の形態)
まず、第1の実施の形態のX線CT装置1の構成について説明する。  
なお、本実施形態ではX線管が1つの場合について説明するが、本発明は多線源型のX線CT装置にも適用可能である。また、X線CT装置は、被検体全体をカバーするワイドファンビームを照射しつつX線管とX線検出器とが一体となり回転する回転−回転方式(Rotate-Rotate方式)や、電子ビームを電気的に偏向させながらターゲット電極に当てる電子ビーム走査方式(Scanning ElectRon Beam方式)や、その他の方式のものがあるが、本発明はいずれの方式のX線CT装置にも適用可能である。
【００１７】
図1は、X線CT装置1の全体構成を示すブロック図であり、図1において、寝台3及びガントリ2については横方向から見た模式図としている。
【００１８】
図1に示すように、X線CT装置1は、ガントリ2を有するスキャナ20、寝台3、操作卓4、及び画像処理装置9から構成される。寝台3に設けられるテーブル33には被検体6が固定される。
【００１９】
X線CT装置1は、テーブル33に固定された被検体6をガントリ2内のX線照射空間に搬入または搬出し、ガントリ2を被検体6の周囲で回転させて様々な角度からX線を照射することにより被検体6をスキャンし、スキャンにより取得した被検体のX線減弱量データを用いて、画像処理装置9にて被検体6の断層像を再構成するものである。
【００２０】
スキャナ20は、制御部21、X線管(X線源)23とX線検出器25を有するガントリ2、及びガントリ回転駆動機構27を備える。X線管(X線源)23とX線検出器25とは、ガントリ2の中央に設けられる開口部29の互いに対向する位置に設けられる。
【００２１】
制御部21は、CPU(CentRal PRocessing Unit)、ROM(Read Only MemoRy)、RAM(Random Access MemoRy)等により構成され、ガントリ回転駆動機構27、寝台駆動機構31、X線管23、及び操作卓4の主制御装置5に接続される。制御部21は、主制御装置5から入力される制御信号に応じて、ガントリ2、寝台3、及びX線管23を制御する。また制御部21は、ガントリ回転駆動機構27から入力されるガントリ2の回転速度を示すパルス信号や、寝台駆動機構31から入力されるテーブル33の移動速度を示すパルス信号を監視しており、これらのパルス信号を用いて寝台3のテーブル33の位置や移動速度、或いはガントリ2の回転位置や回転速度等を検出する。
【００２２】
また、制御部21は、X線管23の位置(ガントリ2の回転角度)を監視しており、X線管23が所定の回転角度に到達するとX線検出器25に対してデータの取り込みを開始するタイミングを示すビュートリガ(view tRiggeR)信号を出力する。
【００２３】
また、制御部21は、主制御装置5からの指示に従って、寝台3のテーブル移動速度又はガントリ2のガントリ回転速度を制御する。すなわち、主制御装置5は設定されたスキャン条件に基づいて最適なピッチを設定し、設定されたピッチに基づいて寝台3のテーブル33又はガントリ2の速度を設定する。設定された速度は、制御信号として制御部21へ出力され、制御部21はその制御信号に基づいてガントリ2の駆動モータ271(図2参照)及びテーブル33の駆動モータ331(図3参照)を駆動制御する。
【００２４】
また、制御部21はヘリカルスキャンの進行中に、主制御装置5から随時入力される制御信号(スキャン速度変更要求信号)に基づき、テーブル33の速度を変更する。また制御部21はテーブル33の速度変化に追従して、ガントリ2の回転速度を変更する。このとき、制御部21はテーブル33又はガントリ2の速度変化の前後で、ピッチが一定を保つようにテーブル移動速度又はガントリ回転速度を制御する。
【００２５】
ここで、ピッチとは、ガントリ2と寝台3(テーブル33)との速度の比率であり、ビームピッチまたはヘリカルピッチを含む。
【００２６】
ビームピッチはガントリ2の1回転中にテーブル33が移動する距離とX線ビーム幅とで決定されるものであり、以下の式で決定される。
【００２７】
ビームピッチ＝(ガントリ1回転でのテーブル移動距離)÷(X線ビーム幅)
具体的には、16列マルチスライスCT装置の場合は、ガントリ1回転で同時に最大16列のX線減弱量データを得る。1列当たりのスライス幅が1．25mmの場合、16列分のスライス幅(すなわち、X線ビーム幅)は1．25(mm)×16(列)＝20(mm)である。例えばガントリ1回転中に寝台が10mm移動する場合は、ビームピッチ(テーブル移動距離(10mm)÷スライス幅(20mm))は0．5である。
【００２８】
また、ヘリカルピッチとは、ガントリ2の1回転中にテーブル33が移動する距離とX線ビームのコリメーション(スライス幅)とで決定されるものであり、以下の式で決定される。
【００２９】
ヘリカルピッチ＝(ガントリ1回転でのテーブル移動距離)÷(スライス幅)
すなわち、X線検出器25の検出素子列が1列のシングルスライスCTでは、ビーム幅がそのままスライス幅となるため、ヘリカルピッチはビームピッチと同一のものとなる。
【００３０】
また、制御部21は、テーブル33やガントリ2の速度の変更の前後で、X線照射量(mAs；管電流値[mA]とガントリ1回転に要する時間[s]との積)が変わらないように、X線管23へ供給または印加する管電流値または管電圧値を変更し、X線管23の出力を制御する。
【００３１】
更に、制御部21は、X線管23の位置の本来のデータ取り込み位置からのずれを監視している。X線管23の位置が本来のデータ取り込み位置からずれている場合には、画像処理装置9に対して位置ずれ補正要求信号を出力する。データ取り込み位置のずれは、ガントリ回転駆動機構27から出力されるパルス信号や上述の位置センサの出力から判定できる。
【００３２】
X線管23はX線源であり、制御部21により制御されて被検体6に対してX線を連続的または断続的に照射する。制御部21は、操作卓4の主制御装置5から入力される制御信号に応じて、X線管23の出力を制御する。すなわち制御部21は、X線管23に印加及び供給する管電圧及び管電流を制御する。また、X線管23にはコリメータが設けられている。コリメータはX線管23から放射されたX線を、例えばコーンビーム(円錐形または角錐形ビーム)等のX線として被検体6に照射させるものである。被検体6を透過したX線はX線検出器25に入射する。
【００３３】
X線検出器25は、ガントリ2のX線管23に対向する位置に配置され、X線管23から放射されて被検体6を透過したX線の減弱量を検出する。以下の説明において、X線検出器25にて検出したX線減弱量データを、ローデータ(Raw data)ということもある。
【００３４】
X線検出器25は、複数の検出素子及び各検出素子からデータを収集するデータ収集装置から構成される。検出素子は、例えばシンチレータとフォトダイオードとの組み合わせによって構成されており、X線検出器25はこのような検出素子をガントリ2の回転方向(チャネル方向)及び被検体6の体軸方向(z方向または列方向)の2次元に配置して構成されるものである。検出素子はチャネル方向に例えば1000個程度、列方向に例えば1〜320個程度配列されている。これらの複数の検出素子は全体として円筒面状もしくはチャネル方向に折れ線状に湾曲したX線入射面を形成している。
【００３５】
X線検出器25の各検出素子にて検出されたデータはデータ収集装置によって収集され、X線減弱量データとして画像処理装置9に出力される。
【００３６】
ガントリ回転駆動機構27は、制御部21から出力される制御信号に応じて、ガントリ2を回転駆動させる。
【００３７】
図2に示すようにガントリ回転駆動機構27は、例えば、ガントリ2を回転駆動するための駆動モータ271、プーリ273a、273b、273c、273d、273e、273ｆ、ベルト275a、275b、275c、ロータリーエンコーダ277等により構成される。これらの構成に加え、ブレーキを備えるようにしてもよい。
【００３８】
ガントリ回転駆動機構27において、制御部21から入力される制御信号に応じて、駆動モータ271が駆動される。駆動モータ271の駆動は、プーリ273a、ベルト275a、プーリ273b、プーリ273c、ベルト275b、及びプーリ273dを介してガントリ2に伝達される。また、プーリ273bには同軸回転する273eが設けられており、駆動モータ271の回転はプーリ273a、ベルト275a、プーリ273b、プーリ273e、ベルト275c、プーリ273fを介してロータリーエンコーダ277に伝達される。
【００３９】
ロータリーエンコーダ277は、回転動作からパルス信号を生成し、生成したパルス信号を制御部21へ出力する。ガントリ2の1回転で発生するパルス数は、ロータリーエンコーダ277自体が1回転当たり発生するパルス数、使用されているプーリ、歯車の歯数、またはこれらによって構成される減速器の減速比によって決定される。例えば、図2のガントリ回転駆動機構271においては、ガントリ1回転で得られるパルス数は次の式(1)によって決定される。
【００４０】
【数１】
0005552055.tif 000002
ここで、Pg：ガントリ2が1回転するときに発生するパルス数
Zgd：プーリ273dの歯数
Zgc：プーリ273cの歯数
Zge：プーリ273eの歯数
Zgｆ：プーリ273ｆの歯数
P1  ：ロータリーエンコーダ277が1回転で発生するパルス数
である。
【００４１】
また、ガントリ2はガントリ静止基準位置、或いはデータ取り込み位置(ビュートリガ信号発生基準位置)に位置センサを備えている。制御部21は、ロータリーエンコーダ277の発生するパルス信号のカウント数や位置センサの検出信号に基づいて、ガントリ回転速度や、ガントリ2の回転位置を検出できる。
【００４２】
図1に示す寝台3は、被検体6を載せるテーブル33と、寝台駆動機構31とを備えている。
【００４３】
寝台駆動機構31は、図示しないテーブル上下動装置を制御してテーブル33の高さを適切なものにするとともに、テーブル33を被検体6の体軸方向に前後動させる。テーブル33の前後動により、被検体6がガントリ2のX線照射空間である開口部29内に搬入及び搬出される。
【００４４】
寝台駆動機構31は、制御部21から出力される制御信号に応じて、寝台3のテーブル33を前後動させる。
【００４５】
図3に示すように、寝台駆動機構31はテーブル33を前後動させるため、例えば、駆動モータ331、プーリ333a、333b、333c、333d、ベルト335a、335b、ロータリーエンコーダ337、ボールネジナット338、ボールネジ339等により構成される。これらの構成に加え、ブレーキを備えるようにしてもよい。
【００４６】
テーブル33は、テーブル33の下面に取り付けられたボールネジナット338によって、ボールネジ339の回転軸と平行に取り付けられる。駆動モータ331の駆動により、プーリ333a、ベルト335a、プーリ333b、333c、ベルト335b、及びプーリ333dを介してボールネジ339が回転すると、テーブル33がボールネジ339の回転軸と平行に移動される。
【００４７】
駆動モータ331の駆動は制御部21から入力される制御信号に応じて制御される。
【００４８】
また、テーブル33の前後動は、プーリ333cと同軸回転するロータリーエンコーダ337に伝達される。
【００４９】
ロータリーエンコーダ337は回転動作からパルス信号を生成し、制御部21へ出力する。テーブル33の1mmの移動で発生するパルス数は、ロータリーエンコーダ337自体が1回転当たりに発生するパルス数、使用されているプーリ、歯車の歯数、またはこれらによって構成される減速器の減速比によって決定される。例えば、図3の寝台駆動機構31においては、テーブル33の1mmの移動で得られるパルス数は次の式(2)によって決定される。
【００５０】
【数２】
0005552055.tif 000003
ここで、Pt：テーブル33が1mm移動するときに発生するパルス数
PＢ：ボールネジ339のピッチ
Ztd：プーリ333dの歯数
Ztc：プーリ333cの歯数
P2  ：ロータリーエンコーダ337が1回転で発生するパルス数
である。
【００５１】
制御部21はロータリーエンコーダ337の発生するパルス信号のカウント数によりテーブル33の移動速度や位置を検出できる。
【００５２】
操作卓4は、図1に示すように、表示装置7、操作装置8、主制御装置5を備え、ガントリ2、寝台3、及び画像処理装置9と接続される。画像処理装置9は、画像再構成回路91、及び記憶装置93を備え、ガントリ2のX線検出器25及び操作卓4と接続される。
【００５３】
表示装置7は、液晶パネル、CRTモニタ等のディスプレイ装置と、ディスプレイ装置と連携して表示処理を実行するための論理回路で構成され、主制御装置5に接続される。
表示装置7は画像処理装置9から出力される再構成画像やスキャノグラム画像、並びに主制御装置5が取り扱う種々の情報を表示するものである。
【００５４】
操作装置8は、例えば、キーボード、マウス、テンキー等の入力装置、及び各種スイッチボタン等により構成され、操作者によって入力される各種の指示や情報を主制御装置5に出力する。操作者は、表示装置7及び操作装置8を使用して対話的にX線CT装置1を操作する。
【００５５】
主制御装置5は、CPU、ROM、RAM等により構成され、X線CT装置1全体を制御するものである。主制御装置5はガントリ2内の制御部21、表示装置7、操作装置8、及び画像処理装置9に接続される。主制御装置5は、操作装置8から入力されるスキャン条件等に従ってスキャン計画を生成し、生成されたスキャン計画に従って、ガントリ2、寝台3、及びX線管23を制御する制御信号を制御部21に出力し、ヘリカルスキャンを制御する。
【００５６】
本実施の形態において、主制御装置5は、ヘリカルスキャン実行中に、造影剤の流れをモニタリングしており、モニタリング結果に基づいてテーブル33の移動速度及びガントリ2の回転速度を変化させ、スキャン対象部位に常に造影剤が検出されるように制御する。テーブル33の移動速度等を変更する際、主制御装置5は、制御部21に対してスキャン速度変更要求信号を出力し、寝台3のテーブル33の移動速度を変化させ、テーブル33の移動速度に追従してガントリ2の回転速度を変化させる。制御部21はヘリカルスキャンのピッチが変化せず一定を保つように、テーブル33の移動速度、又はガントリ2の回転速度を変化させる。
【００５７】
ヘリカルスキャンのピッチを一定に保ちつつテーブル33又はガントリ2の速度が変更されるため、再構成される画像の画質を一定に保つことが可能となる。ヘリカルスキャンのピッチを一定に保つためには、テーブル33の移動速度とガントリ2の回転速度との比率を一定に保てばよい。そのため、制御部21は寝台駆動機構31のロータリーエンコーダ337から発生されるパルス数とガントリ2の回転駆動機構27のロータリーエンコーダ277から発生されるパルス数とを監視し、それぞれのパルス数の比率が速度変化の前後で一定を保つように寝台3の駆動モータ331やガントリの駆動モータ271を制御する。
【００５８】
具体的には、寝台3のテーブル33が1mm移動したときに寝台3のロータリーエンコーダ337の出力が100カウントであり、ガントリ2が0．8秒で1回転したときにガントリ2のロータリーエンコーダ277の出力が2000カウントであるように設計された16列マルチスライスCT装置において、上述のようにビームピッチ0．5(1回転のビーム幅20mmにつき寝台移動距離10mm)にてヘリカルスキャンが行われているとする。この場合、単位時間あたりのパルス数は、ガントリ2側が2500カウント/秒であり、寝台3側が1250カウント/秒である。すなわち、ガントリ2側のパルス数と寝台3側のパルス数との比率は2：1である。
【００５９】
スキャン途中でテーブル33の速度を遅くしたい場合、例えば、0．8秒で10mm移動していたテーブルを、0．8秒で8mm移動するように変化させたい場合には、寝台3側の単位時間当たりパルス数は1000カウント/秒となる。制御部21のCPUは寝台3の減速に追従して、ガントリ側2のパルス数が2000カウント/秒となるように回転速度を変更する。
【００６０】
図4は、ガントリ2と寝台3のテーブル33との速度の関係を示すグラフである。
【００６１】
図4のグラフ中、横軸はガントリ回転速度(パルスカウント数/秒)、縦軸はテーブル移動速度(パルスカウント数/秒)であり、ビームピッチが0．5の場合と、0．8の場合と、1．3の場合とにおける、各速度の保つべき関係を表している。
【００６２】
ビームピッチを一定に保つためには、テーブル移動速度とガントリ回転速度とが図4に示す関係を保つ必要がある。
【００６３】
また、第1の実施の形態のX線CT装置1において主制御装置5は、スキャンしようとする部位(以下、関心領域という)に造影剤が到達しているか否かをモニタリングしている。造影剤のモニタリングにおいて、造影剤が到達しているか否かは、例えば、関心領域についてガントリ1回転前のCT値と現在の回転で得られるCT値とを比較することにより判定される。ガントリ1回転前のCT値と現在の回転で得られるCT値との差が所定の閾値より小さい場合には、造影剤が到達していないと判定される。ここで、CT値とはX線検出器25にて検出したX線減弱量データから得られる組織のX線吸収係数を、水のX線吸収係数を用いて相対的に換算した値である。
【００６４】
図5を参照して、本実施の形態のX線CT装置1における造影剤のモニタリングについて説明する。
【００６５】
図5に示すように、X線CT装置1は16列のX線検出器25を備えるものとし、X線検出器25の列番号を寝台3に近い側から順に1、2、・・・、16とする。また図5の矢印にて示される方向をテーブル33の進行方向とする。以下の説明では、造影剤の注入位置が静脈であって、造影剤が心臓を経由し、全身の動脈から静脈を流れるものとする。
【００６６】
図5の例のように、スキャンの進行方向が被検体6の上肢から下肢である場合、主制御装置5はテーブル33の進行方向に対してX線検出器25の先頭列のX線減弱量データをモニタリングすることにより造影剤の到達を検出する。すなわち、主制御装置5は列番号「1」の検出素子列のCT値を監視する。
【００６７】
なお、スキャンの進行方向が図5の例と逆方向である場合、すなわち、下肢から上肢へのスキャンである場合は、X線検出器25の列番号「16」の検出素子列を先頭列とすれば、造影剤の関心部位への到達を検出できる。また、造影剤の到達をモニタリングするのではなく、造影剤の流れに遅れないように制御するためには、スキャンの進行方向が図5の矢印に示すように上肢から下肢の方向である場合は、X線検出器25の最終列(列番号「16」)をモニタリングすればよい。同様に、スキャンの進行方向が図5とは逆の下肢から上肢の方向である場合は、造影剤の流れに遅れないように制御するためにはX線検出器25の列番号「1」をモニタリングすればよい。
【００６８】
本実施の形態では主制御装置5は、造影剤が関心領域に到達していないと判定した場合には、寝台3のテーブル移動速度を遅くするよう、制御部21に対してスキャン速度変更要求信号を出力する。逆に造影剤の流れが速い場合には、寝台3のテーブル移動速度を速くするよう制御部21に対してスキャン速度変更要求信号を出力する。更に制御部21は、テーブル33の速度変化に追従させて、ビームピッチが一定に保たれるようにガントリ2の回転速度を変化させる(図4、7参照)。
【００６９】
また、主制御装置5は画像処理装置9に接続されており、画像処理装置9の画像再構成回路91及び記憶装置93を制御して、画像の再構成、及び記憶を行う。
【００７０】
画像処理装置9は、主制御装置5の制御によってガントリ2内のX線検出器25が収集したX線減弱量データを取得する。スキャノグラム撮影時には、X線検出器25が収集したスキャノグラム投影データを用いてスキャノグラム画像を作成する。また、スキャン時には、X線検出器25が収集した複数ビューのX線減弱量データを用いて断層像を再構成する。すなわち、画像処理装置8は、X線検出器25から入力されるX線減弱量データ(ローデータ)に対して、X線強度補正、オフセット補正、感度補正といった前処理を施し、その後特定のz軸(体軸)方向位置の最近傍データをX線検出器25の各列から抽出して、そのz軸方向位置での断層像を再構成する。
【００７１】
記憶装置93は、ハードディスク等により構成されるものであり、操作卓4に接続される。記憶装置93には、画像再構成回路91によって生成した再構成画像やスキャノグラム画像等が記憶される。また、操作装置8から入力される各種スキャン条件(スキャン範囲、画質指標値、着目部位、管電流値、管電圧値、コリメーション等)が記憶される。また、これらの各種データの他、X線CT装置1の機能を実現するためのプログラム等が記憶される。
【００７２】
次に、図6から図9を参照して、X線CT装置1の動作について説明する。
【００７３】
主制御装置5は記憶装置93から各種処理を実行するためのプログラム及びデータを読み出し、このプログラム及びデータに基づいて処理を実行する。
【００７４】
まず、主制御装置5のCPUは、スキャノグラム画像の撮影指示をガントリ2の制御部21へ出力する(ステップS101)。スキャノグラム画像とは、ガントリ2を回転せずにテーブル33を体軸と平行に移動させ、被検体6を1方向から投影した画像である。制御部21は、ガントリ2及び寝台3を制御するとともにX線管23を制御して、所定の強度で被検体6にX線を照射し、スキャノグラム撮影を行う。X線検出器25は、被検体6を透過したX線減弱量データを検出し、スキャノグラム投影データとして、画像処理装置9へ出力する。主制御装置5のCPUは、画像処理装置9の画像再構成回路91によって、X線検出器25から入力されるスキャノグラム投影データからスキャノグラム画像を生成させ、記憶装置93に記憶させるとともに、表示装置7に表示させる。
【００７５】
次に、主制御装置5は、スキャン計画の設定を受け付ける処理を実行する(ステップS102)。
【００７６】
スキャン計画とは、ヘリカルスキャンの開始位置や終了位置、スキャン時間、撮影部位、画質指標値(画質SD(StandaRd Deviation)値、CNR(コントラスト−ノイズ比)、所定のCNR下での識別可能径(識別可能な異常陰影の半径)、またはSNR(シグナル−ノイズ比)等)、X線管23に供給、印加する管電流、管電圧、コリメーション、ピッチ等のスキャン条件を操作装置8からの操作指示に応じて設定するとともに、スキャン条件に基づいてテーブル移動速度やガントリ回転速度、一連の管電流値、管電圧値等を算出する処理である。
【００７７】
操作装置8から上述のスキャン条件が入力されると、主制御装置5は入力されたデータから、体軸方向撮影範囲(z位置)とX線管の位相角(ガントリ2の位相角)を決定する。また、主制御装置5は上述のスキャン条件からテーブル33の移動速度やガントリ2の回転速度を決定するとともに、X線管23に供給する一連の管電流変調パターンを設定する。
【００７８】
なお、ここで決定されるテーブル33の移動速度、ガントリ2の回転速度、及び管電流変調パターンはスキャン計画段階での設定値であり、本実施の形態では、主制御装置5は造影剤の流れに応じて、スキャンの進行中にも随時テーブル33の移動速度、ガントリ2の回転速度、及び管電流値を変更する。
【００７９】
主制御装置5は、図8に示すように、生成したスキャン計画の設定値(テーブル移動速度5a、ガントリ回転速度5b、管電流変調パターン5c、ビームピッチ5dを含む)を主制御装置5のRAMに記憶するとともに、制御部21へ出力する。
【００８０】
次に制御部21は、ステップS102で設定されたスキャン計画に従って、スキャンを実行する(ステップS103)。すなわち、制御部21は寝台3を制御してスキャン開始位置へテーブル33を移動させる。また、設定された管電流変調パターン5cにてX線管23に管電流を供給し、テーブル33を設定されたテーブル移動速度5aで移動させるとともに、ガントリ2を設定されたガントリ回転速度5cで回転させ、被検体6に対してX線を照射する。X線検出器25により検出されたX線減弱量データは画像処理集装置9へ出力される。画像処理装置9は主制御装置5に制御されて、入力されたX線減弱量データに基づき、画像再構成回路91にて各スライス位置での断層像を再構成し、表示装置7に表示するとともに、記憶装置33に記憶する(ステップS104)。
【００８１】
ステップS103において、主制御装置5はスキャン中に画像処理装置9にて得られるCT値を監視し、造影剤の流れを検出している。
【００８２】
造影剤を使用する検査における図3のステップ103のスキャン制御について、図7に示すフローチャートを参照して説明する。
【００８３】
図7に示すように、主制御装置5は、X線検出器25の検出素子列のうち、造影剤をモニタリングする列に相当する列の画像に設定された関心領域のCT値を検出する。ここで、モニタリングする列とは、図5に示す例のように造影剤の流れの先頭を検出する場合には、X線検出器25の列番号「1」である。主制御装置5は列番号「1」の検出素子列のデータから生成した画像に設定された関心領域のCT値を検出し(ステップS201)、RAMに保存する(図8の5e、5ｆ)。
【００８４】
主制御装置5は、関心領域について、ガントリ2の1回転前のスキャンにおけるCT値5eと、現在のスキャンでのCT値5ｆとを比較する(ステップS202)。
【００８５】
そして、1回転前の関心領域のCT値5eと、今回取得したCT値5ｆとの差が、所定の閾値5gより大きいか否かを判定し(ステップS203)、差が閾値5g以下である場合は造影剤が到達していないと判定して(ステップS203；小さい場合)、寝台3やガントリ2の速度を変えず、スキャンを続行する(ステップS204)。
【００８６】
一方、1回転前の関心領域のCT値5eと、今回取得したCT値5ｆとの差が、所定の閾値5gより大きい場合は、主制御装置5は造影剤の流れの先頭が関心領域に到達していると判定して(ステップS203；大きい場合)、制御部21に対してスキャン速度変更要求信号を出力する。制御部21は、主制御装置5から入力されたスキャン速度変更要求信号に応じて、テーブル33の移動速度とガントリ2の回転速度とを同期させ変更させる(ステップS205)。すなわち、造影剤が到達していない場合には寝台3のテーブル33の移動速度を遅くする。制御部21は変更後のテーブル33の移動速度に追従して、ガントリ2の回転速度を遅くする。このとき制御部21は、速度の変更前と後とでビームピッチ5dが変化しないように制御する。
【００８７】
また、制御部21(または主制御装置5)は、速度の変更の前後でX線照射量(mAs；管電流値[mA]とガントリ1回転に要する時間[s]との積)が変わらないように、X線出力(管電流値や管電圧値)を変更する(ステップS206)。
【００８８】
例えば、ガントリ1回転あたり0．8sを要するスキャンにおいて、もとの管電流値を250mAとしている場合(mAs＝200)に、ガントリ回転速度を1回転あたり1．0sに変更した際には、制御部21は管電流値を200mAに変更する。また、ガントリ回転速度を1回転あたり0．4sに変更した際には、制御部21は管電流値を500mAに変更する。
【００８９】
主制御装置5は、テーブル33がスキャン終了位置に到達するまでステップS201〜ステップS206の処理を繰り返し、テーブル33がスキャン終了位置に到達すると(ステップS207；Yes)、スキャンを終了する。
【００９０】
以上説明したヘリカルスキャンの制御における、X線CT装置1の各部での信号やデータの流れについて、図9のシーケンス図を用いて説明する。
【００９１】
図9のステップT1において、ガントリ回転駆動機構27のロータリーエンコーダ277の出力を基に、制御部21は計測開始信号であるビュートリガ信号を発生させる。X線検出器25はビュートリガ信号に応答して各検出素子列の計測データ(X線減弱量データ)を収集し、画像処理装置9へ出力する。画像処理装置9はX線減弱量データに基づく関心領域のCT値をモニタリングデータとして主制御装置5へ出力する。ステップT2において、主制御装置5は、モニタリングデータに基づいてテーブル移動速度の変更が必要であるか否かを判断し、変更が必要であると判断した場合は、制御部21へスキャン速度変更要求信号を出力する。
【００９２】
ステップT3において、制御部21はスキャン速度変更要求信号に基づいて寝台3のテーブル移動速度を変更するとともに、ビームピッチが一定となるようにガントリ回転速度を変更する。更に制御部21は、ガントリ回転速度の変更に伴い、X線管23のX線出力(管電流、管電圧)も変更する。
【００９３】
ステップT4において、制御部21はテーブル33やガントリ2の速度の変更に伴い、変化した各パルス間隔を確認する。パルス間隔の確認において、データ取り込み位置のずれを検出した場合、ステップT5において、制御部21は画像処理装置9に対してデータの位置ずれの補正を要求する。
【００９４】
以後モニタリングデータによりスキャン速度変更要求が生じる都度、ステップT2〜T5を繰り返す。
【００９５】
上述のステップT4、T5におけるX線データ取り込み位置のずれと、画像処理装置9によるデータの位置補正処理について、図10、図11、図12を参照して説明する。
【００９６】
ガントリ2は重量であるため、回転速度を変化させるとイナーシャ(慣性)によりX線減弱量データの取り込み開始位置(以下、データ取り込み位置という)がずれることがある。
【００９７】
図10において、矢印に示す方向がガントリ2の回転方向である。図10に示すように、「a」の地点が本来のデータ取り込み位置であるとすると、ガントリ2の減速が遅れた場合には、図10の「b」に示す位置にX線管23、及びX線検出器25がずれてしまう。また、ガントリ2の加速が遅れた場合には、図10の「c」に示す位置にX線管23、及びX線検出器25がずれてしまう。
【００９８】
一方、図11に示すように、X線検出器25はヘリカルスキャン実行中、X線減弱量データを連続的に取得している。図11において、横軸はX線検出器25のチャネル番号(1チャネル〜nチャネル)であり、縦軸はガントリ1回転におけるデータ取り込み回数(1ビュー〜mビュー)である。図11のプロファイルには各チャネルに入力したX線減弱量データが取り込み順(「L−1」回転→「L」回転→「L＋1」回転)に表されている。また、実際にはX線減弱量データの強弱は濃淡情報(グレースケール)で表されるものであるが、明瞭に示すためにX線減弱量データの強弱を実線を用いて模式的に表している。実線で示す2本の曲線は被検体とエア(被検体の無い領域)との境界を示している。画像処理装置9は、各ビューのX線減弱量データを画像再構成に使用する。
【００９９】
なお、図11ではマルチスライス検出器(X線検出器25)の1列分のX線減弱量データのプロファイルを示しているが、全ての列において、それぞれ連続したプロファイルを得る。
【０１００】
ヘリカルスキャンにおいて、画像処理装置9は各スライス間でX線減弱量データを補間しつつ、画像を再構成する。すなわち、画像処理装置9はX線検出器25から入力される各列のX線減弱量データからz軸(体軸)方向位置(スライス位置)の最近傍のデータを抽出して、断層像を再構成する。
【０１０１】
ガントリ2のロータリーエンコーダ277が発生するパルス信号と、X線データの取り込みを開始するタイミングを示すビュートリガ信号とは、同期している(図9のT1)。
また、ガントリ2はガントリ静止基準位置、或いはビュートリガ信号発生基準位置に位置センサを備えている。
【０１０２】
制御部21は、ビュートリガ信号の発生時点でのガントリ2のロータリーエンコーダ277のパルス数と位置センサの出力とからデータ取り込み位置のずれを算定し、位置ずれ補正要求を主制御装置5へ出力する(図9のT4、T5)。また制御部21または主制御装置5は、本来のデータ取り込み位置からずれた位置までの間に発生するビュー数もロータリーエンコーダ277のパルス数から算出できる。
【０１０３】
図12のフローチャートに示すように、スキャン中に制御部21は、ロータリーエンコーダ277から入力されるパルス信号及び位置センサの出力信号によって、X線管23の位置を監視している。ガントリ2側のパルス数に基づいて、X線管23がデータ取り込み位置に到達した場合(ステップS301；Yes)、X線検出器25はビュートリガ信号を出力し、X線検出器25からX線減弱量データ(ローデータ)を取得して画像処理装置9へ出力する(ステップS302)。
【０１０４】
制御部21はガントリ2側のパルス信号及び位置センサ(ビュートリガ信号発生基準位置)の出力とから、実際にデータを取り込んだ位置を算定する(ステップS303)。実際にデータを取り込んだ位置が、本来のデータ取り込み位置(図9の「a」)と同一である場合は、制御部21は画像処理装置9に対して通常の画像再構成処理を行うよう制御信号を出力する(ステップS305)。
【０１０５】
一方、実際にデータを取り込んだ位置が、本来のデータ取り込み位置(図9の「a」)とずれている場合は(ステップS304；Yes)、制御部21は、本来の位置とずれた位置との間のビュー数を算出し、画像処理装置9に出力する。画像処理装置9は、ずれたビュー数を取得すると、図11に示すプロファイルから、そのビュー数だけビュー方向にずらして補正したローデータを用いて画像再構成処理を行う。ローデータを補正した結果、必要なローデータが欠落した場合は、線形補間等の手法でローデータを補間し、画像再構成処理を行うようにすればよい(ステップS306)。
【０１０６】
また、数ビュー分ずれている場合等、再構成した画像は正立に対して回転してしまう場合には、画像処理装置9はその再構成画像を逆に回転させて正立像とする処理を施す(ステップS307)。画像処理装置9は再構成画像を表示装置7に表示させるとともに、記憶装置93に記憶する。
【０１０７】
制御部21、主制御装置5、及び画像処理装置9は上述のステップS301〜ステップS307の処理を繰り返し、スキャン開始位置からスキャン終了位置までの各スライス位置での断層像を再構成すると、一連の画像処理を終了する。
【０１０８】
以上説明したように、第1の実施の形態のX線CT装置1は、造影剤の流れを検出し、その検出結果に応じてヘリカルスキャンを制御する。主制御装置5は、スキャン対象位置に造影剤が到達していない、またはスキャン対象位置が造影剤の流れを追い抜いていると判定した場合は、寝台3のテーブル33の速度を変更し、それに追従してガントリ2の回転速度も変更する。このとき、ヘリカルスキャンのピッチは一定に保たれるように、テーブル33の移動速度とガントリ2の回転速度とが制御される。
【０１０９】
従って、造影剤の流れに合わせて寝台3のテーブル33の移動速度を変更した際に、ガントリ2の回転速度も変更でき、ヘリカルスキャンにおけるピッチが保たれるので、画像処理装置9において再構成される画像の画質を保つことが可能となる。その結果、造影剤を用いた検査での画質悪化による再検査を防ぐことができ、かつ余分な造影剤を使用せずに最適な造影剤量でヘリカルスキャンを行うことが可能となり、患者負担が軽減する。
(第2の実施の形態)
次に、第2の実施の形態のX線CT装置1について説明する。
【０１１０】
第2の実施の形態のX線CT装置1は、スキャン計画段階で予め寝台3のテーブル移動速度やガントリ2の回転速度を変更するz位置を設定しておき、そのスキャン計画に従ってヘリカルスキャンを実行する。z位置とは体軸方向の位置である。
【０１１１】
第2の実施の形態のX線CT装置1のハードウェア構成は第1の実施の形態のX線CT装置1と同様であるので、説明を省略し、以下の説明においては、第1の実施の形態と同一の各部は同一の符号を付して説明する。
【０１１２】
従来のX線CT装置1では、スキャンする部位に応じて最適なスキャン速度で検査を行なうために、部位別に検査を実施していた。つまり、心臓(胸部)は高速にスキャンし、腹部は低速でスキャンするというように、部位別に異なる検査が行われていた。そのため検査回数が増え、患者の負担が大きかった。
【０１１３】
第2の実施の形態のX線CT装置1は、スキャン計画段階で、複数の部位の連続スキャンを設定することを可能とし、スキャン部位別に異なるテーブル移動速度を予め設定し、テーブル移動速度に追従してガントリ2の回転速度を変更する。また、X線CT装置1は、速度変化の前後でピッチが変わらないように制御する。
【０１１４】
以下、図13、図14、図15を参照して第2の実施の形態のX線CT装置1の動作を説明する。
【０１１５】
図13に示すように、X線CT装置1は、まずスキャノグラム画像の撮影を実行する(ステップS401)。スキャノグラム画像の撮影は第1の実施の形態と同様である。
【０１１６】
次に、主制御装置5はスキャン計画の設定を受け付ける。第2の実施の形態のX線CT装置1では、複数部位の連続したスキャン計画を設定できる(ステップS402)。
【０１１７】
具体的には、例えば胸部と腹部との連続したスキャンを計画する場合、操作者は、胸部と腹部とを含むz範囲をスキャン範囲とし、操作装置8から入力する。また操作者は、設定したスキャン範囲について部位別に最適なテーブル移動速度を設定できる。すなわち、テーブル33の位置に応じて異なるテーブル移動速度を設定できる。また、主制御装置5は、その他のスキャン条件(ピッチ、画質指標値、X線管23に供給、印加する管電流、管電圧、コリメーション、等)についても操作装置8からの入力を受け付ける。
【０１１８】
主制御装置5は、テーブル移動速度及びピッチから、ガントリ2の回転速度を部位毎に算出する。ここで、主制御装置5は全てのスキャン範囲でピッチが変わらないように、テーブル移動速度及びガントリ回転速度を設定する。主制御装置5は、一連のスキャンでの、z位置に応じたテーブル移動速度パターン5mと、テーブル移動速度パターン5mに応じたガントリ回転速度パターン5nと、を生成し、主制御装置5のRAMに保存する(図14参照)。
【０１１９】
また、主制御装置5は、入力されたスキャン条件から最適な一連の管電流変調パターン5oを算出し、RAMに保存する。
【０１２０】
スキャン計画が設定されると主制御装置5は、設定されたスキャン計画情報(テーブル移動速度パターン5m、ガントリ回転速度パターン5n、管電流変調パターン5o等)を制御部21へ出力し、制御部21はスキャン計画情報に従って、X線管23、寝台3及びガントリ2を制御し、ヘリカルスキャンを開始する。スキャンの進行中、ガントリ2の回転駆動機構27及び寝台3の寝台駆動機構31はそれぞれパルス信号を制御部21へ出力している。制御部21は第1の実施の形態と同様に、これらのパルス信号からテーブル33の移動情報やガントリ2の回転位置情報を、取得できる。
【０１２１】
制御部21は取得した移動情報から、テーブル33がスキャン計画によって予め設定されたz位置に達したと判定した場合には、テーブル33の移動速度を変更させ、また、ガントリ2の回転速度を変更させる(ステップS403)。
【０１２２】
X線検出器25により検出されたX線減弱量データは画像処理集装置9へ出力される。
画像処理装置9は主制御装置5に制御されて、入力されたX線減弱量データに基づき、画像再構成回路91にて各スライス位置での断層像を再構成し、表示装置7に表示するとともに、記憶装置93に記憶する(ステップS404)
ステップS404の画像再構成処理において、画像処理装置9は第1の実施の形態と同様に図12に示すデータ取り込み位置のずれを補正する画像処理を実行する。
【０１２３】
以上説明した第2の実施の形態のヘリカルスキャンの制御における、X線CT装置1の各部での信号やデータの流れについて、図15のシーケンス図を用いて説明する。
【０１２４】
図15のステップT11において、主制御装置5は予め設定されたスキャン計画情報(テーブル移動速度パターン5m、ガントリ回転速度パターン5n、管電流変調パターン5o)を制御部21へ出力する。ステップT12において、制御部21は、寝台3のロータリーエンコーダ337の出力に基づいてテーブル33の移動情報を監視する。ステップT13において、テーブル33が速度変更位置へ到達すると、制御部21はテーブル移動速度を変更するとともに、ガントリ回転速度を変更する。このとき、ビームピッチは一定に保たれる。また、制御部21はガントリ2の回転速度変更に伴い、X線出力(管電流、管電圧)も変更する。
【０１２５】
ステップT14において、制御部21はテーブル33やガントリ2の速度の変更に伴い、変化した各パルス間隔を確認する。パルス間隔の確認により、データ取り込み位置のずれを検出した場合、ステップT15において、制御部21は画像処理装置9に対してデータ取り込み位置のずれの補正を要求する。
【０１２６】
以後、スキャン位置が速度変更位置へ到達する都度、ステップT13〜T15を繰り返す。
【０１２７】
以上説明したように、第2の実施の形態のX線CT装置1では、スキャン計画の段階で予めテーブル33の速度を変更するz位置(テーブル移動速度パターン5m)を設定しておき、ヘリカルスキャン実行中にテーブル33の位置が設定されたz位置に到達すると、設定されている速度でテーブル33を移動させる。またテーブル33の速度変化に追従してガントリ2の速度も変更する。制御部21はテーブル33やガントリ2の速度変化の前後でピッチが一定に保たれるように制御する。
【０１２８】
従って、ヘリカルスキャンのピッチを一定に保ったまま、部位別に最適なテーブル移動速度又はガントリ回転速度に変更することが可能となり、スキャン速度の異なる複数の部位を連続して撮影することが可能となる。そのため、部位毎に異なる検査を行う必要がなくなり、患者の負担が軽減する。
【０１２９】
以上、本発明に係るX線CT装置の好適な実施形態について説明したが、本発明は、上述の実施形態に限定されるものではない。例えば、本発明のスキャン速度の変更の例として、第1の実施の形態においては造影剤を用いた検査におけるスキャン速度変更の例を示し、第2の実施の形態においては、スキャン計画段階での撮影部位に応じた速度パターンの設定の例を示したが、これらに限定されるものではなく、どのような検査に適用するようにしてもよい。また、第1及び第2の実施の形態(造影剤を用いた検査及びスキャン計画段階での速度変更パターンの設定)を組み合わせて、本発明を適用することも可能である。また、当業者であれば、本願で開示した技術的思想の範疇内において、各種の変更例または修正例に想到し得ることは明らかであり、それらについても当然に本発明の技術的範囲に属するものと了解される。
【符号の説明】
【０１３０】
1  X線CT装置、2  ガントリ、23  X線管(X線源)、25  X線検出器、27  ガントリ回転駆動機構、277  ロータリーエンコーダ、29  開口部、3  寝台、31  寝台駆動機構、337  ロータリーエンコーダ、33  テーブル、4  操作卓、5  主制御装置、6  被検体、7  表示装置、8  操作装置、9  画像処理装置、91  画像再構成回路、93  記憶装置、
【図１】
0005552055.tif 000004
【図２】
0005552055.tif 000005
【図３】
0005552055.tif 000006
【図４】
0005552055.tif 000007
【図５】
0005552055.tif 000008
【図６】
0005552055.tif 000009
【図７】
0005552055.tif 000010
【図８】
0005552055.tif 000011
【図９】
0005552055.tif 000012
【図１０】
0005552055.tif 000013
【図１１】
0005552055.tif 000014
【図１２】
0005552055.tif 000015
【図１３】
0005552055.tif 000016
【図１４】
0005552055.tif 000017
【図１５】
0005552055.tif 000018